(57)【要約】【課題】防水性能を損なうことなく、操作基板に設置された電子部品の冷却を効率的に行う加熱調理器を提供するものである。【解決手段】加熱調理器は、被加熱物を加熱する加熱コイルが配設された筐体と、加熱コイルと対向するように筐体の上面に配置されたトッププレートと、トッププレートの周囲を囲むように配置され、加熱コイルを操作するための操作表示部が設けられたトッププレート枠と、筐体内に設けられ、加熱コイルの加熱出力を制御する駆動基板と、操作表示部と対向するように筐体に配設され、加熱コイルの操作入力スイッチが設けられた操作表示駆動部と、を備え、操作表示駆動部は、駆動基板との間で制御信号の送受信を行う操作基板が設置される駆動部収納ケースと、駆動部収納ケースの上面を覆うように配置され、駆動部収納ケースの外周縁と接する防水案内壁を外周縁に形成する防水カバーと、を備え、防水案内壁は、少なくとも一部に筐体の内部と連通する開口部が形成されているものである。【選択図】図１
2018018632.tif 000002
【特許請求の範囲】
【請求項１】
被加熱物を加熱する加熱コイルが配設された筐体と、
前記加熱コイルと対向するように前記筐体の上面に配置されたトッププレートと、
前記トッププレートの周囲を囲むように配置され、前記加熱コイルを操作するための操作表示部が設けられたトッププレート枠と、
前記筐体内に設けられ、前記加熱コイルの加熱出力を制御する駆動基板と、
前記操作表示部と対向するように前記筐体に配設され、前記加熱コイルの操作入力スイッチが設けられた操作表示駆動部と、
を備え、
前記操作表示駆動部は、
前記駆動基板との間で制御信号の送受信を行う操作基板が設置される駆動部収納ケースと、
前記駆動部収納ケースの上面を覆うように配置され、前記駆動部収納ケースの外周縁と接する防水案内壁を外周縁に形成する防水カバーと、
を備え、
前記防水案内壁は、少なくとも一部に前記筐体の内部と連通する開口部が形成されている加熱調理器。
【請求項２】
前記開口部は、矩形状に形成されている請求項１に記載の加熱調理器。
【請求項３】
前記矩形状に形成されている開口部の上縁がアーチ状に形成されている請求項２に記載の加熱調理器。
【請求項４】
前記開口部は、前記防水案内壁に複数形成されている請求項１〜３のいずれか１項に記載の加熱調理器。
【請求項５】
前記複数の開口部は、前記筐体内を冷却する風の上流側と下流側とに形成されている請求項４に記載の加熱調理器。
【請求項６】
前記複数の開口部は、前記防水案内壁の対向する位置に形成されている請求項４又は５に記載の加熱調理器。
【請求項７】
前記操作表示駆動部は直方体形状に形成され、
前記複数の開口部は、前記防水案内壁の１側面に形成されている請求項４又は５に記載の加熱調理器。
【請求項８】
前記開口部は、前記防水案内壁の前記筐体側の一部を切欠いた形状に形成されている請求項１〜７のいずれか１項に記載の加熱調理器。
【請求項９】
前記防水案内壁は、前記開口部の周縁から前記防水カバーの外方向に突出する突出壁部を有する請求項１〜８のいずれか１項に記載の加熱調理器。
【請求項１０】
前記突出壁部は、前記防水案内壁に対向する先端部がフランジ状に形成されているフランジ部を有する請求項９に記載の加熱調理器。
【請求項１１】
前記駆動部収納ケースは、前記防水案内壁と接する側壁を有し、
前記駆動部収納ケースは、前記開口部に対向した位置に、前記側壁の一部が前記操作表示部側に凸状に形成されている水浸入抑止壁を設けた請求項１〜１０のいずれか１項に記載の加熱調理器。
【請求項１２】
導風用のダクトを更に備え、
前記ダクトは、前記開口部の少なくとも一つと連通している請求項１〜１１のいずれか１項に記載の加熱調理器。
【請求項１３】
冷却風を送風するための冷却ファンを更に有し、
前記ダクトは、前記冷却ファンから発生した冷却風を操作表示駆動部に導風するための導風路である請求項１２に記載の加熱調理器。
【請求項１４】
前記防水カバーは、ゴム系材料からなる請求項１〜１３のいずれか１項に記載の加熱調理器。
【請求項１５】
前記防水カバーは、透明または半透明の素材からなる請求項１〜１４のいずれか１項に記載の加熱調理器。
【請求項１６】
前記防水カバーの前記操作表示部側の一部は、光を拡散する拡散処理が施されている請求項１〜１５のいずれか１項に記載の加熱調理器。
【請求項１７】
前記防水カバーの前記操作基板側の内面には、前記操作基板に設置されている部品へ冷却風を案内する風向板が設けられている請求項１〜１６のいずれか１項に記載の加熱調理器。
【請求項１８】
前記風向板は、前記開口部側に向けて高さが低くなるように斜めに切り欠かれている請求項１７に記載の加熱調理器。
【発明の詳細な説明】
【技術分野】
【０００１】
本発明は、本体の上面に調理用の操作表示部を備えた加熱調理器に関するものである。
【背景技術】
【０００２】
従来より、調理用の操作入力及び操作表示を行う操作基板に対し、操作基板の上面を覆う防水カバーを配置する加熱調理器が提供されている（例えば、特許文献１）。特許文献１に記載の加熱調理器は、防水カバーを用いることで、トッププレートに貼り付けられた操作表示シートの接着剤の剥がれ部位等から水、湯、鍋から溢れた煮汁等の液体が滴下しても、液体が操作基板へ進入することを阻止することができる。
【先行技術文献】
【特許文献】
【０００３】
【特許文献１】特開２００８−２４１０８７号公報
【発明の概要】
【発明が解決しようとする課題】
【０００４】
しかしながら、特許文献１に記載の加熱調理器は、防水カバーが操作基板の全周囲を立壁で覆っており操作基板を収納するケースは密閉されている。そのため、操作基板上には冷却風が流れず操作基板上の電子部品を冷却することができない。その結果、加熱調理器は、電子部品の寿命を縮める場合があり、また、熱による誤動作を起こす場合がある。
【０００５】
本発明は、上記のような課題を解決する為になされたもので、防水性能を損なうことなく、操作基板に設置された電子部品の冷却を効率的に行う加熱調理器の提供を目的とする。
【課題を解決するための手段】
【０００６】
本発明に係る加熱調理器は、被加熱物を加熱する加熱コイルが配設された筐体と、加熱コイルと対向するように筐体の上面に配置されたトッププレートと、トッププレートの周囲を囲むように配置され、加熱コイルを操作するための操作表示部が設けられたトッププレート枠と、筐体内に設けられ、加熱コイルの加熱出力を制御する駆動基板と、操作表示部と対向するように筐体に配設され、加熱コイルの操作入力スイッチが設けられた操作表示駆動部と、を備え、操作表示駆動部は、駆動基板との間で制御信号の送受信を行う操作基板が設置される駆動部収納ケースと、駆動部収納ケースの上面を覆うように配置され、駆動部収納ケースの外周縁と接する防水案内壁を外周縁に形成する防水カバーと、を備え、防水案内壁は、少なくとも一部に筐体の内部と連通する開口部が形成されているものである。
【発明の効果】
【０００７】
本発明による加熱調理器によれば、操作基板を防水する防水カバーを備え、防水カバーの防水案内壁に冷却風が通風する開口部が形成されている。その結果、冷却風が防水カバー内を流れ、防水性能を損なうことなく、操作基板に設置された電子部品の冷却を効率的に行うことができる。
【図面の簡単な説明】
【０００８】
【図１】本発明の実施の形態１に係る加熱調理器の外観構造の一例を示す概略的な斜視図である。
【図２】本発明の実施の形態１に係る加熱調理器の内部構造の一例を示す図１におけるＡ−Ａ線断面による側面視における概略図である。
【図３】本発明の実施の形態１に係る加熱調理器の内部構造を示す図２におけるＥ部の拡大図である。
【図４】本発明の実施の形態１に係る加熱調理器の操作表示駆動部の分解斜視図である。
【図５】図４の操作表示駆動部におけるＢ−Ｂ線断面図である。
【図６】図４の操作表示駆動部におけるＣ−Ｃ線断面図である。
【図７】図４の操作表示駆動部における防水カバーと駆動部収納ケースとの組み合わせ時のＤ−Ｄ線断面図である。
【図８】本発明の実施の形態１に係る加熱調理器の操作表示駆動部の変形例の斜視図である。
【図９】本発明の実施の形態２に係る加熱調理器の操作表示駆動部の斜視図である。
【図１０】図９の操作表示駆動部におけるＣ−Ｃ線断面図である。
【図１１】図９の操作表示駆動部における防水カバーと駆動部収納ケースとの組み合わせ時のＤ−Ｄ線断面図である。
【図１２】本発明の実施の形態２に係る加熱調理器の操作表示駆動部の変形例の斜視図である。
【図１３】本発明の実施の形態３に係る加熱調理器の操作表示駆動部の斜視図である。
【発明を実施するための形態】
【０００９】
以下、本発明における加熱調理器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、本発明の実施の形態１に係る加熱調理器の外観構造の一例を示す概略的な斜視図である。図２は、本発明の実施の形態１に係る加熱調理器の内部構造の一例を示す図１におけるＡ−Ａ線断面による側面視における概略図である。図１及び図２を参照して加熱調理器１００の各部の構成を説明する。なお、図１において示すＸ軸は、Ｘ１側を左、Ｘ２側を右として加熱調理器１００の左右の幅方向を示す。また、Ｙ軸は、Ｙ１側を前、Ｙ２側を後として加熱調理器１００の前後の奥行き方向を示す。さらに、Ｚ軸は、Ｚ１側を上、Ｚ２側を下として加熱調理器１００の上下の高さ方向を示すものである。
【００１１】
加熱調理器１００は、被加熱物を加熱する加熱コイル７ａ、７ｂ及び７ｃが配設された筐体１と、加熱コイル７ａ等と対向するように筐体１の上面に配置されたトッププレート２と、トッププレート２の周囲を囲むように配置され、加熱コイル７ａ等を操作するための操作表示部４が設けられたトッププレート枠３と、を備える。また、加熱調理器１００は、筐体１内に設けられ、加熱コイル７ａ等の加熱出力を制御する駆動基板１４と、操作表示部４と対向するように筐体１に配設され、加熱コイル７ａ等の操作入力スイッチが設けられた操作表示駆動部１０と、を備える。
【００１２】
筐体１は、前後の側壁として外郭を形成する本体前側壁部８ａ及び本体後側壁部８ｃと、左右の側壁として外郭を形成する本体左側壁部８ｂ及び本体右側壁部８ｄと、底部として外郭を形成する本体底板８ｅとで構成され、上面を開口する箱状に形成されている。また、図１において筐体１は、本体後側壁部８ｃと本体底板８ｅとを接続する本体後部傾斜壁部８ｆで側壁の一部を構成している。
【００１３】
図１に示すように、筐体１の外郭の外周を構成する部材として、本体前側壁部８ａの上端部には、本体前側壁部８ａの上端から筐体１の外部方向（Ｙ１側）に向かって略水平に突出した本体前係止壁部１１ａが設けられている。同様に、本体左側壁部８ｂ、本体後側壁部８ｃ及び本体右側壁部８ｄの上端部から筐体１の外部方向（Ｘ１側、Ｙ２側、Ｘ２側）に向かって本体左係止壁部１１ｂ、本体後係止壁部１１ｃ、及び、本体右係止壁部１１ｄが設けられている。筐体１は、図２に示すように、本体前係止壁部１１ａ及び本体後係止壁部１１ｃが、キッチン天板５０の上に設置され、同様に図１に記載の本体左係止壁部１１ｂ及び本体右係止壁部１１ｄがキッチン天板５０の上に設置されて、キッチン天板５０に懸吊される。
【００１４】
筐体１は、筐体１の内部において、本体前側壁部８ａ、本体左側壁部８ｂ、本体後側壁部８ｃ、及び本体右側壁部８ｄの上端と下端との間（Ｚ軸）の位置に、筐体１の内部空間を上下に仕切る本体中間底板８ｇを設けている。
【００１５】
図２に示すように、筐体１は、本体中間底板８ｇによって内部を上部空間１７と下部空間１８とに仕切られており、本体中間底板８ｇの本体前側壁部８ａ側には、上部空間１７と下部空間１８とを連通する通風孔１２が形成されている。通風孔１２は、例えば、操作機器やグリル等の設置位置等の加熱調理器１００の構成によって本体中間底板８ｇの任意の位置に形成される。上部空間１７の内部には本体後側壁部８ｃと対向する仕切り板８ｈが設けられており、仕切り板８ｈには、筐体１の上部空間１７と排気口９とを連通する排気用通気孔８ｉが形成されている。排気口９は、加熱調理器１００内の加熱された空気を加熱調理器１００の外部に排出するための開口部である。
【００１６】
筐体１の上部空間１７には、トッププレート２に載置される鍋などの被加熱物を誘導加熱する加熱コイル７ａ、７ｂ及び７ｃが収容されている。なお、本発明の実施の形態１に係る加熱調理器１００では、３つの加熱コイルが上部空間１７に配設されているが、加熱コイルの配設数は、１つ又は複数であってもよい。また、本発明の実施の形態１に係る加熱調理器１００では、加熱手段として加熱コイルを用いているが、いずれか１つ又は複数の加熱コイルを、例えば電熱線ヒーター等の他の加熱手段に変更してもよい。
【００１７】
筐体１の下部空間１８には、駆動基板１４が収納されている。駆動基板１４は、操作表示部４の下方に配設される操作表示駆動部１０に入力された操作信号にしたがって、加熱コイル７ａ、７ｂ及び７ｃ等の加熱及び停止等の出力制御を行う。この加熱出力の状況は、操作表示駆動部１０に設けられた液晶表示等を用いて操作表示部４に表示される。
【００１８】
筐体１の下部空間１８において、駆動基板１４と対向するように冷却ファン１５が設けられている。冷却ファン１５は、駆動基板１４、操作表示駆動部１０、及び加熱コイル７ａ等を冷却するための冷却風を発生させるものである。そして、冷却ファン１５の駆動により外部の空気を下部空間１８へ流入させるために、筐体１の本体後側壁部８ｃには、本体吸気口１６ａが形成され、同様に本体後部傾斜壁部８ｆには、本体吸気口１６ｂが形成されている。本体吸気口１６ａ及び本体吸気口１６ｂは、筐体１の周壁を構成する板金に形成された複数の開口部によって形成されている。
【００１９】
図１に示すように、筐体１の上面には、加熱コイル７ａと対向するようにトッププレート２が配置されている。トッププレート２は、全体が耐熱強化ガラスや結晶化ガラス等の材料で構成され、トッププレート枠３の開口部の形状に合わせて長方形又は正方形等の矩形状に形成されている。トッププレート２の上には鍋等の被加熱物が載置される。トッププレート２には、被加熱物を載置する目安としての位置を示す円形の案内マーク２ａ、２ｂ、２ｃが、それぞれ印刷などの方法で表示されている。
【００２０】
図１に示すように、トッププレート２の周囲を囲むようにトッププレート枠３が配置される。トッププレート枠３の外周縁は、本体前係止壁部１１ａ、本体左係止壁部１１ｂ、本体後係止壁部１１ｃ、及び本体右係止壁部１１ｄで構成される筐体１の外周に沿って配置される。トッププレート枠３は、全体が非磁性ステンレス板又はアルミ板などの金属製板によって額縁状に形成されている。トッププレート２の外周部とトッププレート枠３の開口部との間には、ゴム製パッキンやシール材（図示せず）を介在させており、両者が水密状態に固定されている。このように、トッププレート枠３とトッププレート２との対面部分に形成される隙間はゴム製パッキンやシール材（図示せず）により塞がれているため、トッププレート２の上面から筐体１の内部に水滴などが浸入しないように構成されている。
【００２１】
図１に示すように、トッププレート枠３の後側上面部には、筐体１の後側上面部に設けられた排気口９の上部に位置する排気用開口部６が形成されている。トッププレート枠３の前側上面部には、例えば、加熱コイル７ａ、７ｂ及び７ｃの加熱量等を操作する複数の操作ボタン５を備えた操作表示部４が設けられている。
【００２２】
図３は、本発明の実施の形態１に係る加熱調理器の内部構造を示す図２におけるＥ部の拡大図である。操作表示部４は、使用者による操作を受け付けるとともに加熱条件や動作状態を表示する。操作表示部４は、操作表示シート４ａをトッププレート枠３に貼付することで形成されている。操作表示シート４ａは、トッププレート枠３の前面に形成された凹状の表示シート貼付部４ｂに密着するように接着剤で貼り付けられる。操作表示シート４ａには、図１に示すように、トッププレート枠３の幅方向（Ｘ軸方向）に沿って複数個のエンボス加工された操作ボタン５が適宜間隔を保持して凸状に形成されている。操作表示部４の下方には、操作基板が収納された操作表示駆動部１０が操作表示部４と対向するように筐体１の本体前係止壁部１１ａに配設されている。使用者が、操作表示部４の操作ボタン５を押し下げることで操作表示駆動部１０に収納された操作基板に操作信号を入力することができる。図１及び図３に示すように、本体前係止壁部１１ａには、操作表示駆動部１０と併設するように導風用のダクト１３を設置してもよい。
【００２３】
ダクト１３は、通風孔１２を介して下部空間１８と連通して冷却ファン１５から発生した筐体１を流れる冷却風を操作表示駆動部１０に送るための導風路である。図３に示すように、ダクト１３は、逆Ｌ字形状の立ち下がり型であり、ダクト１３の筐体は本体前係止壁部１１ａと、本体前側壁部８ａとに接している。図３においては、ダクト１３は、本体前側壁部８ａ及び本体前係止壁部１１ａと接する面に側壁を設けておらず、ダクト１３は、枠状に形成された側壁と、本体前側壁部８ａと、本体前係止壁部１１ａとで、ダクト通路１３ｒを形成している。なお、ダクト１３は、枠状ではなく筒状に形成されてもよい。また、ダクト１３の断面形状は、任意であり、例えば角形状であってもよいし、丸形状或いは楕円形状のダクトであってもよい。また、ダクト１３は、通風孔１２を介して下部空間１８と連通しているため、図１において、操作表示駆動部１０の右側（Ｘ２側）に設置されている。ダクト１３は、通風孔１２を介して下部空間１８と連通していればよく、例えば、通風孔１２が筐体１の左側にある場合には、ダクト１３は、操作表示駆動部１０の左側（Ｘ１側）に設置されてもよい。
【００２４】
図３に示すように、ダクト１３の一端の開口部であるダクト下部開口部１３ｅは、通風孔１２を介して下部空間１８と連通するように、通風孔１２上に配置されている。なお、ダクト下部開口部１３ｅは、冷却風を効率よく流入させる位置に配置されるのが好ましく、例えば、ダクト１３の下方の端部が下部空間１８内まで延びていてもよい。あるいは、ダクト１３の下端が下部空間１８内で立ち上がり型に形成され、ダクト下部開口部１３ｅが冷却ファン１５と対向するように構成されてもよい。図３において、ダクト１３は、冷却風が流入しやすいように、下端部の側壁が拡張しているダクト拡張部１３ｃを形成している。なお、冷却風の流入量や内部機器との干渉等によっては、ダクト拡張部１３ｃを形成しなくてもよい。
【００２５】
ダクト１３の他端の開口部であるダクト上部開口部１３ｆは、操作表示駆動部１０が設置されている側のダクト側壁１３ｂに形成されている。そして、ダクト１３は、ダクト上部開口部１３ｆを通じて操作表示駆動部１０の内部空間と連通している。なお、ダクト上部開口部１３ｆの形成位置は、操作表示駆動部１０とダクト１３との設置位置によって異なる。例えば、図１のように、ダクト１３が操作表示駆動部１０の右側に設置されると、ダクト１３の左側壁にダクト上部開口部１３ｆが形成されるが、ダクト１３が操作表示駆動部１０の左側に設置されると、ダクト１３の右側壁にダクト上部開口部１３ｆが形成される。
【００２６】
図３に示すように、操作表示駆動部１０は、本体前係止壁部１１ａ上に配設される。操作表示駆動部１０は、本体前係止壁部１１ａの端部に立設されたリブ部１１ｅで一端が位置決めされる。また、操作表示駆動部１０の上部に設けられた突起部２０が、操作ボタン５と対向する位置に形成された開口部３ａ内に位置するように配置されている。突起部２０と開口部３ａの上部は、操作表示シート４ａで覆われている。
【００２７】
図４は、本発明の実施の形態１に係る加熱調理器の操作表示駆動部の分解斜視図である。図５は図４の操作表示駆動部におけるＢ−Ｂ線断面図である。図６は、図４の操作表示駆動部におけるＣ−Ｃ線断面図である。図７は、図４の操作表示駆動部における防水カバーと駆動部収納ケースとの組み合わせ時のＤ−Ｄ線断面図である。図４〜図７を用いて、操作表示駆動部１０について説明する。操作表示駆動部１０は、操作基板２２が設置される駆動部収納ケース２１と、駆動部収納ケース２１の上面を覆うように配置され、駆動部収納ケース２１の外周縁と接する防水案内壁３０ａを外周縁に形成する防水カバー３０とを組み合わせて構成される。
【００２８】
駆動部収納ケース２１は、操作基板２２が設置されるケースである。駆動部収納ケース２１は、平面視で矩形状に形成されたケース底板２１ｓと、ケース底板２１ｓの周縁から立設するケース前壁部２１ａ、ケース左壁部２１ｂ、ケース後壁部２１ｃ、及びケース右壁部２１ｄとから構成される合成樹脂からなるケースである。これらの側壁は、駆動部収納ケース２１と防水カバー３０との組み合わせ時において、外周縁が防水案内壁３０ａの内周面と接する。なお、図４において、ケース底板２１ｓの形状は、平面視で矩形状であるが、ケース底板２１ｓの形状は、楕円形状、円形状、多角形状等他の形状であってもよい。駆動部収納ケース２１は、ケース左壁部２１ｂ及びケース右壁部２１ｄの一部が操作表示部４側（Ｚ１側）に凸状に形成されている水浸入抑止壁２１ｅを設けている。
【００２９】
水浸入抑止壁２１ｅは、後述する防水カバー３０に形成された防水カバー開口部３１ｂ及び３１ｄと対向する位置に設けられ、上端部が防水案内壁３０ａの下端部より上方に位置するように形成される。水浸入抑止壁２１ｅは、防水カバー開口部３１ｂ及び３１ｄの一部を塞ぐことで操作表示駆動部１０内への液体の侵入を阻止するものである。なお、図４においては、水浸入抑止壁２１ｅは、ケース左壁部２１ｂ及びケース右壁部２１ｄの一部が突出した凸形状として示しているが、防水カバー開口部３１ｂ及び３１ｄからの液体の侵入を阻止するものであればよい。そのため、例えば、ケース左壁部２１ｂ及びケース右壁部２１ｄが、ケース前壁部２１ａ及びケース後壁部２１ｃと比較して側壁の高さが高いように形成され、ケース左壁部２１ｂ等自体が水浸入抑止壁２１ｅとして形成されてもよい。
【００３０】
図４に示すように、駆動部収納ケース２１は、左右二個に分割した操作基板２２を収納している。操作基板２２の縁部にはコネクタ２４が設けられ、コネクタ２４に配線部材が組み込まれる。それらの配線部材は、配線用穴２６を介して駆動部収納ケース２１の底部から下側に出され、加熱コイル等の各種部品に配線される。
【００３１】
操作基板２２は、駆動基板１４との間で制御信号の送受信を行う。操作基板２２には、液晶表示部２３が設けられている。また、操作基板２２には、操作表示シート４ａの操作ボタン５と対向した位置に加熱コイル７ａ等を操作するための操作入力スイッチ２５が設けられており、操作ボタン５の押し下げ力はこの操作入力スイッチ２５を介して操作基板２２に伝達される。なお、前記した操作基板２２は、一枚の基板であってもよく、複数に分割されていてもよい。また、操作入力スイッチ２５の数は任意である。さらに、操作基板２２には、例えば駆動状態を表す、ＬＥＤ等が設置されていてもよい。なお、操作入力スイッチ２５は、加熱コイル７ａ等の操作入力だけではなく、例えばモードの切り替え、時刻の設定等、各種用途に使用しても良い。
【００３２】
防水カバー３０は、例えば経年劣化等でトッププレートに貼り付けられた操作表示シートの接着剤の剥がれた部位等から水、湯、鍋から溢れた煮汁等の液体が滴下しても、液体が操作基板へ進入することを阻止するものである。防水カバー３０は柔軟性のあるゴム系材料を用いて平面視で矩形状に形成されており、駆動部収納ケース２１の上面を覆い、蓋をするように配置されている。防水カバー３０は、液晶表示部２３の表示或いはＬＥＤ等の光が透過しやすいように透明または半透明の素材であることが望ましい。防水カバー３０は、出射光を均一にして粒状感を抑制するために光を拡散する拡散処理が施されている。拡散処理としては、例えば、しぼ加工、切り込み加工、サンドブラスト処理、あるいは、チタン等の光拡散粒子を有する光拡散部材を膜状に塗布する方法がある。
【００３３】
図４において、防水カバー３０は、ケース底板２１ｓと対向する天井壁部３０ｕが操作表示部４側の外郭を構成している。天井壁部３０ｕは矩形状に形成されており、天井壁部３０ｕの外周縁には駆動部収納ケース２１側に延びるように防水案内壁３０ａが形成されている。この防水案内壁３０ａは、防水カバー３０の前後の側壁を構成する前壁部３０ａ１及び後壁部３０ａ３と、防水カバー３０の左右の側壁を構成する左壁部３０ａ２及び右壁部３０ａ４とが一体となって構成されている。防水案内壁３０ａは、駆動部収納ケース２１と防水カバー３０との組み合わせ時において、内周面が駆動部収納ケース２１側の外周縁と接する。なお、図４では、防水カバー３０は、直方体状に形成されているが、駆動部収納ケース２１の外周縁と接する形状であれば他の形状であってもよい。たとえば、駆動部収納ケース２１が平面視で楕円形状であった場合には、防水カバー３０も平面視で楕円形状に形成され、防水案内壁３０ａは、前壁部３０ａ１と、左壁部３０ａ２と、後壁部３０ａ３と、右壁部３０ａ４とが連続する曲面で形成されていてもよい。また、天井壁部３０ｕと、前壁部３０ａ１と、後壁部３０ａ３とが一体に曲面で形成され、側面視でアーチ状に形成されてもよい。アーチ状に形成された場合には、防水カバー３０の外郭に平面部が少なくなり液体が留まることなく、液体がかかったとしても曲面に沿って流れやすくなる。
【００３４】
防水カバー３０の天井壁部３０ｕには突起部２０を設けられており、図３に示すように、突起部２０は、操作表示シート４ａの操作ボタン５と対向するトッププレート枠３の開口部３ａに位置するように構成されている。また、突起部２０は、操作入力スイッチ２５の上部に位置するように構成されており、操作ボタン５への押し下げ力を操作入力スイッチ２５に伝達する役割を果たす。
【００３５】
左壁部３０ａ２及び右壁部３０ａ４には、それぞれ駆動部収納ケース２１側の下端部が矩形状に切り欠かれて形成された防水カバー開口部３１ｂ及び防水カバー開口部３１ｄが設けられている。防水カバー開口部３１ｂ及び防水カバー開口部３１ｄは、水浸入抑止壁２１ｅと対向する位置に形成されている。防水カバー開口部３１ｂ及び防水カバー開口部３１ｄは、筐体１内を冷却する風の上流側と下流側とに形成されており、冷却風が通風する開口部である。防水カバー開口部３１ｂ及び防水カバー開口部３１ｄは、製造工程の容易さから下端部が矩形状に切り欠かれた形状に構成されるのが望ましいが、左壁部３０ａ２及び右壁部３０ａ４の任意の位置を打ち抜くような構造で形成されてもよい。また、開口部の形状は、矩形状でなくても上縁がアーチ状、半円状、多角形状或いはこれらの組み合わせ形状等他の開口形状であってもよい。
【００３６】
右壁部３０ａ４に形成されている防水カバー開口部３１ｄは、ダクト１３の防水カバー３０側の側壁に形成されたダクト上部開口部１３ｆと連通し、冷却ファン１５から送風される冷却風が流れる通路を形成する。防水カバー開口部３１ｂは、防水カバー３０の内部空間と筐体１の上部空間１７とを連通させ、防水カバー３０の内部を流れた冷却風の出口となる。なお、図１においては、防水カバー開口部３１ｂ側にダクトは設けられていないが、ダクト１３のように立ち下げ型のダクトが設けられてもよく、あるいは、Ｌ字型のダクトなど他の形状のダクトが設けられてもよい。なお、ダクト１３が操作表示駆動部１０の左側に設けられているときは、防水カバー開口部３１ｂと防水カバー開口部３１ｄとの役割が逆となり、防水カバー開口部３１ｂとダクト１３のダクト上部開口部１３ｆとが連通する。
【００３７】
防水案内壁３０ａは、防水カバー開口部３１ｂ及び防水カバー開口部３１ｄの周縁から防水カバー３０の外方向（Ｘ軸）に突出する突出壁部３２を有する。突出壁部３２は、防水カバー開口部３１ｂ及び防水カバー開口部３１ｂの周縁の高さ方向（Ｚ軸）の側縁に設けられている垂直部３２ａと、奥行き方向（Ｙ軸）である上縁に設けられている水平部３２ｂとを有する。また、突出壁部３２は、防水案内壁３０ａに対向する先端部が外側に凸となるようにフランジ状に形成されているフランジ部３２ｃを有している。そして、右壁部３０ａ４と、垂直部３２ａ及び水平部３２ｂと、フランジ部３２ｃで形成される凹状の部分にダクト上部開口部１３ｆの周縁を形成しているダクト側壁１３ｂが係合される。なお、図４において、突出壁部３２は、側面視で矩形状に形成されているが、突出壁部３２は、防水カバー開口部３１ｂ及び防水カバー開口部３１ｄの形状の周縁に沿った他の形状に形成されてもよい。
【００３８】
次に、図１及び図２を用いて加熱調理器１００の動作と加熱調理器１００内を流れる冷却風の流れについて説明する。加熱コイル７ａ等が設けられた加熱口で加熱調理を行う場合、使用者がトッププレート２の案内マーク２ａ等の上に鍋等の被加熱物を載置して操作表示部４に加熱開始の指示を入力する。操作表示部４に加熱開始の指示をすると、駆動基板１４から加熱コイル７ａ等に高周波電力が供給され、トッププレート２の上に載置された被加熱物が誘導加熱される。また、冷却ファン１５が動作を開始する。
【００３９】
冷却ファン１５が動作すると、筐体１内の下部空間１８の本体後側壁部８ｃ側が負圧となり、筐体１の外側の空気が、本体吸気口１６ａ及び１６ｂから筐体１の内部へと吸い込まれる。筐体１の内部へと吸い込まれた空気は、冷却ファン１５によって筐体１内の下部空間１８の本体前側壁部８ａ側に送風される。本体前側壁部８ａ側に送風される冷却風は、駆動基板１４等の下部空間１８に設けられた機器の周囲を通過してこれらの機器を冷却して通風孔１２に向かう。
【００４０】
通風孔１２に向かう冷却風は一部がダクト下部開口部１３ｅを介してダクト１３内に流入する。ダクト下部開口部１３ｅに流入した冷却風は、上方に向かってダクト通路１３ｒ内を流れる。ダクト通路１３ｒ内を流れた冷却風は、ダクト上部開口部１３ｆから連通する防水カバー開口部３１ｂを介して防水カバー３０内に流れる。そして、冷却風は、防水カバー３０内を流れる間に、操作基板２２、液晶表示部２３等の周囲を流れこれらの部品を冷却する。その後、防水カバー３０内に流れた冷却風は、防水カバー開口部３１ｂから上部空間１７に吹出される。なお、通風孔１２においてダクト１３内に流れなかった冷却風は、上方に向かって流れ、通風孔１２を介して下部空間１８から上部空間１７に吹出される。
【００４１】
上部空間１７に吹出された冷却風は、上部空間１７に配置されている加熱コイル７ａ、７ｂ、７ｃ等に吹き付けられて加熱コイル７ａ等の周囲を通過する。加熱コイル７ａ等は、加熱コイル７ａ等の周囲を通過する冷却風によって冷却される。加熱コイル７ａ等の周囲を通過する冷却風は、仕切り板８ｈに形成された排気用通気孔８ｉを通過し排気口９から加熱調理器１００の外部へと流出する。
【００４２】
以上のように、本発明の実施の形態１に係る加熱調理器１００は、操作表示駆動部１０を構成する駆動部収納ケース２１の上面に蓋をするように防水カバー３０を配置し、防水カバーの防水案内壁に冷却風が通風する開口部が形成されている。その結果、冷却風が防水カバー内を流れ、防水性能を損なうことなく、操作基板に設置された電子部品の冷却を効率的に行うことができる。また、例えば経年劣化等により開口部３ａを通して水や湯、鍋から溢れた煮汁等の液体が操作表示駆動部１０側に滴下しても、防水カバーに３０によって操作表示駆動部１０内への浸入が阻止され、駆動部収納ケース２１内に組み込まれた操作基板２２、液晶表示部２３等の動作不良等を防止することができる。
【００４３】
また、操作表示駆動部１０を構成する駆動部収納ケース２１の上面に蓋をするように防水カバー３０を配置し、防水カバー３０の防水カバー開口部３１ｄとダクト１３のダクト上部開口部１３ｆとを連通させている。そのため、冷却ファン１５から送風される冷却風がさらに効率よく防水カバー３０内を流れ、防水性能を損なうことなく、操作基板に設置された電子部品の冷却を効率的に行うことができる。
【００４４】
また、防水カバー３０は、開口部に突出壁部３２を設けている。防水カバーの開口部に突出壁部３２を設けることで開口部に液体が侵入しにくくなる。また、突出壁部３２はフランジ部３２ｃを有することで更に開口部に液体が侵入しにくくなり防水機能が強化される。また、突出壁部３２を設けたことで防水カバー３０とダクト１３との密着性が高まり、冷却風が流れるための気密性が良くなるとともに防水性が強化される。
【００４５】
また、駆動部収納ケース２１には、防水カバー開口部３１ｂ及び防水カバー開口部３１ｂと対向する位置に水浸入抑止壁２１ｅが設けられている。そのため、防水カバーの開口部に液体が侵入しにくくなり、防水機能が強化される。
【００４６】
また、防水カバー３０にゴム系材料を用いることで、高価なシリコンを使用する必要はなくコストを削減することができる。
【００４７】
また、防水カバー３０を透明または半透明にすることにより、例えば操作基板２２に配置された液晶表示部２３の表示、あるいは、ＬＥＤ等の表示灯を遮ることなく操作表示シート４ａの操作表示部４に表示することができ、従来と同様の各種電子表示部品を用いてそのまま使用することができる。
【００４８】
また、防水カバー３０に光を拡散する拡散処理が施されることで、操作表示シート４ａの表示部分の拡散印刷を省略することができ、コストの削減を図ることができる。
【００４９】
図８は、本発明の実施の形態１に係る加熱調理器の操作表示駆動部の変形例の斜視図である。図１〜図７の加熱料理器と同一の構成を有する部位には同一の符号を付してその説明を省略する。本発明の実施の形態１に係る加熱調理器に収納される操作表示駆動部１０の変形例は、防水カバー開口部３１ｂ及び防水カバー開口部３１ｄの矩形状の開口形状の上縁がアーチ状に形成されているものである。また、突出壁部３２は、防水カバー開口部３１ｂ及び防水カバー開口部３１ｄの周縁に沿って操作表示部４側の壁部がアーチ状に形成されているものである。突出壁部３２の操作表示部４側の壁部がアーチ状に形成されているために、液体が防水カバー３０とダクト１３との間に侵入した場合であっても、液体は防水カバー３０とダクト１３との間に貯まりにくく、アーチ形状に沿って下方に流れやすくなるため、防水機能を強化することができる。
【００５０】
実施の形態２．
図９は、本発明の実施の形態２に係る加熱調理器の操作表示駆動部の斜視図である。図１０は、図９の操作表示駆動部におけるＣ−Ｃ線断面図である。図１１は、図９の操作表示駆動部における防水カバーと駆動部収納ケースとの組み合わせ時のＤ−Ｄ線断面図である。図１〜図８の加熱料理器と同一の構成を有する部位には同一の符号を付してその説明を省略する。
【００５１】
本発明の実施の形態２に係る加熱調理器に収納される操作表示駆動部１０ａは、天井壁部３０ｕの操作基板２２側の内面には風向板３３が設けられている。風向板３３は、防水カバー３０の幅方向（Ｘ軸）に延びるように直方体状に形成され、天井壁部３０ｕから防水カバー３０の内側方向（Ｚ軸）に突出した凸状に形成されている。風向板３３は、防水カバー開口部３１ｄから防水カバー３０内に入った冷却風を、操作基板に設置されている部品へ案内するものである。図９においては、防水カバー３０の防水カバー開口部３１ｄ側に設けられているが、冷却対象とする部品に効率よく風を当てることができる位置に設けられていればよく、必ずしも図９の位置に設けられていなくてもよい。また、図９においては、風向板３３は直方体状に形成されているが、例えば、板が湾曲して形成されている、あるいは、円柱状又は多角注状に形成される等、他の形状であってもよい。また、風向板３３は、防水カバー３０の幅方向（Ｘ軸）に設けられているが、平面視で防水カバー３０の幅方向（Ｘ軸）に対し斜めに配置されてもよい。なお、風向板３３は、１つでもよく複数設けられてもよい。
【００５２】
以上のように、操作表示駆動部１０ａでは、防水カバー３０の天井壁部３０ｕに風向板３３が設けられている。風向板３３を設けることによって、冷却風を特定の部品に案内できるため、部品を効率よく冷却することができる。
【００５３】
図１２は、本発明の実施の形態２に係る加熱調理器の操作表示駆動部の変形例の斜視図である。図７において、防水カバー３０に設けられた風向板３３ａは、防水カバー開口部３１ｄ側に向けて高さが低くなるように斜めに切り欠かれている風向板切欠部３３ｂを有する。このように風向板３３ａは風向板切欠部３３ｂが形成されていることで防水カバー開口部３１ｂから流入する冷却風の圧力損失が低減でき防水カバー３０内に冷却風を効率よく流すことができる。
【００５４】
実施の形態３．
図１３は、本発明の実施の形態３に係る加熱調理器の操作表示駆動部の斜視図である。本発明の実施の形態１及び本発明の実施の形態２に係る加熱調理器１００に用いられる操作表示駆動部１０及び１０ａは、左壁部３０ａ２及び右壁部３０ａ４にそれぞれ防水カバー開口部３１ｂ及び防水カバー開口部３１ｄが形成されている態様である。本発明の実施の形態３に係る加熱調理器１００に用いられる操作表示駆動部１０ｂは直方体形状に形成されており、防水カバー開口部３１ｂ及び防水カバー開口部３１ｄは、防水案内壁３０ａの１側面に形成されているものである。図１３において、防水カバー開口部３１ｂ及び防水カバー開口部３１ｄは、後壁部３０ａ３の防水カバー３０の幅方向（Ｘ軸）の両端側に設けられている。また、防水カバー開口部３１ｂ及び防水カバー開口部３１ｄと対向するように水浸入抑止壁２１ｅもケース後壁部２１ｃの両端側に設けられている。
【００５５】
なお、本発明の実施の形態３に係る加熱調理器１００に使用されるダクト１３は、防水カバー開口部３１ｂ及び防水カバー開口部３１ｄの形成位置に合わせて、ダクト上部開口部１３ｆが、防水カバー開口部３１ｄと連通するように構成される。また、図１１に示す操作表示駆動部１０ｂには風向板３３が設けられているが、風向板３３が設けられていなくてもよい。
【００５６】
本発明の実施の形態３に係る加熱調理器１００に用いられる操作表示駆動部１０ｂは、直方体形状に形成され、防水カバー開口部３１ｂ及び防水カバー開口部３１ｄは、防水案内壁３０ａの１側面に形成されている。このような構成により、例えば、防水カバー３０の両端側にダクト１３を設置できるスペースがない場合などでも防水カバー３０とダクト１３を接続することができ、防水性能を損なうことなく、操作基板２２の冷却を効率的に行うことができる。
【００５７】
なお、本発明の実施の形態は、上記実施の形態１〜３に限定されない。たとえば、図４において、防水案内壁３０ａに設けられている開口部は、防水カバー３０の幅方向の両端部に設けられた防水カバー開口部３１ｂ及び防水カバー開口部３１ｄの２ヶ所に形成されている。しかし、冷却風を導きたい部品を通風させるのに適した開口数、位置、大きさであれば、開口部は必ずしも２つである必要はなく１つ又は複数形成された開口部が任意の位置に設けられてもよい。
【符号の説明】
【００５８】
１  筐体、２  トッププレート、２ａ  案内マーク、２ｂ  案内マーク、２ｃ  案内マーク、３  トッププレート枠、３ａ  開口部、４  操作表示部、４ａ  操作表示シート、４ｂ  表示シート貼付部、５  操作ボタン、６  排気用開口部、７ａ  加熱コイル、７ｂ  加熱コイル、７ｃ  加熱コイル、８ａ  本体前側壁部、８ｂ  本体左側壁部、８ｃ  本体後側壁部、８ｄ  本体右側壁部、８ｅ  本体底板、８ｆ  本体後部傾斜壁部、８ｇ  本体中間底板、８ｈ  仕切り板、８ｉ  排気用通気孔、９  排気口、１０  操作表示駆動部、１０ａ  操作表示駆動部、１０ｂ  操作表示駆動部、１１ａ  本体前係止壁部、１１ｂ  本体左係止壁部、１１ｃ  本体後係止壁部、１１ｄ  本体右係止壁部、１１ｅ  リブ部、１２  通風孔、１３  ダクト、１３ｂ  ダクト側壁、１３ｃ  ダクト拡張部、１３ｅ  ダクト下部開口部、１３ｆ  ダクト上部開口部、１３ｒ  ダクト通路、１４  駆動基板、１５  冷却ファン、１６ａ  本体吸気口、１６ｂ  本体吸気口、１７  上部空間、１８  下部空間、２０  突起部、２１  駆動部収納ケース、２１ａ  ケース前壁部、２１ｂ  ケース左壁部、２１ｃ  ケース後壁部、２１ｄ  ケース右壁部、２１ｅ  水浸入抑止壁、２１ｓ  ケース底板、２２  操作基板、２３  液晶表示部、２４  コネクタ、２５  操作入力スイッチ、２６  配線用穴、３０  防水カバー、３０ａ  防水案内壁、３０ａ１  前壁部、３０ａ２  左壁部、３０ａ３  後壁部、３０ａ４  右壁部、３０ｕ  天井部壁、３１ｂ  防水カバー開口部、３１ｄ  防水カバー開口部、３２  突出壁部、３２ａ  垂直部、３２ｂ  水平部、３２ｃ  フランジ部、３３  風向板、３３ａ  風向板、３３ｂ  風向板切欠部、５０  キッチン天板、１００  加熱調理器。
【図１】
2018018632.tif 000003
【図２】
2018018632.tif 000004
【図３】
2018018632.tif 000005
【図４】
2018018632.tif 000006
【図５】
2018018632.tif 000007
【図６】
2018018632.tif 000008
【図７】
2018018632.tif 000009
【図８】
2018018632.tif 000010
【図９】
2018018632.tif 000011
【図１０】
2018018632.tif 000012
【図１１】
2018018632.tif 000013
【図１２】
2018018632.tif 000014
【図１３】
2018018632.tif 000015